(57)【特許請求の範囲】
【請求項１】
エレベータシャフトに沿って周回するチェーンバケットを備え該チェーンバケットにより船倉内の荷を掻き取り垂直運搬するバケットエレベータが、ブーム先端に支持されて、上記チェーンバケット内に掻き取られた荷は、そのチェーンバケットの移動によってエレベータ最上部まで運ばれ該チェーンバケットが転回することで上記最上部に設けられた排出用シュートを介してブーム側に排出されるバケットエレベータ形の連続式アンローダにおいて、
上記排出用シュートに、該シュートの通路を荷の陸揚げ作業時に開き洗浄時に閉じるダンパを設けたことを特徴とする連続式アンローダ。
【発明の詳細な説明】
【０００１】
【産業上の利用分野】
本発明は、船倉内の荷を連続して陸揚げするバケットエレベータ形の連続式アンローダに係り、特に、エレベータシャフトを構成するコラム部材内壁の洗浄が効果的に実施可能な連続式アンローダに関するものである。
【０００２】
【従来の技術】
バケットエレベータ形の連続式アンローダは、岸壁に沿って移動可能な走行フレーム上に旋回フレームが旋回可能に支持され、その旋回フレームから延びるブームの先端部にバケットエレベータが支持されている。そのバケットエレベータは、その軸が常に鉛直方向を向くようになっていると共に、エレベータシャフト内をエンドレスに周回するチェーンバケットが設けられて構成されている。
【０００３】
そして、前記バケットエレベータを船倉内に立てた状態で、その底部で、船倉内の石炭や鉱石等のバラ荷を掻き取ったチェーンバケットは、そのままエレベータシャフトを構成するコラム部材内に沿ってエレベータ最上部まで運ばれ、続いて、該最上部で転向する。このチェーンバケットの転回によって、チェーンバケット内の荷は、エレベータ最上に設けられた排出用シュートを介して、エレベータ最上部の外周に配置された回転フィーダに排出される。該回転フィーダに排出された荷は、回転フィーダを介してブーム上に設置されたベルトコンベアに乗り継いで旋回フレームのシュート部まで運ばれて、該シュート部によって直接又は機内のコンベアを乗り継いで地上側設備に搬出される。
【０００４】
このようにして、船倉内の荷が連続して陸揚げされるが、このときチェーンバケット内やエレベータシャフトを構成する上記コラム部材内壁に荷が付着する。そして、該チェーンバケット内やコラム部材内壁に対して前の荷が付着したまま別の銘柄の荷の陸揚げ作業を行うと、異種銘柄の荷が混入することになる。
これを防止するために、１銘柄の荷の陸揚げが終了するたびに上記チェーンバケット等の洗浄作業が行われている。
【０００５】
この従来の洗浄方法は、例えば特開平５−４３０４１号公報等に記載されている方法で実施されている。
この洗浄方法は、バケットエレベータ５１のチェーンバケット５０を連続駆動して、図４に示すように、チェーンバケット５０によって荷を掻き取らせる代わりに水槽５２内の洗浄水５３を掬い取らせて汲み上げ、続いて、エレベータ最上部５１ａで該チェーンバケット５０が転向することによって洗浄水５３を流下させて、チェーンバケット５０内及びコラム部材内壁５４の付着物を洗い流そうとするものである。
【０００６】
なお、図４中、５６は、エレベータ最上部外周に配置された回転フィーダを示している。
【０００７】
【発明が解決しようとする課題】
しかしながら、上記のような洗浄方法では、チェーンバケット５０でエレベータ最上部５１ａまで汲み上げた洗浄用の水５３の大部分が排出用シュート５５内に流れ込み、エレベータシャフト内を流下する水量が全汲み上げ量の例えば２０〜３０％程度となって、コラム部材内壁５４の洗浄効率が良くない。
【０００８】
また、排出用シュート５５内に流れ込んだ水５３は、回転フィーダ５６を介してブーム上のコンベアや機内のコンベア側に流れる。このため、チェーンバケット５０内を洗浄した洗浄水５３が上記コンベアから該コンベア側方に溢れ落ち、岸壁上に流出してしまう。これを防止するためには、上記コンベアの下方に洗浄水５３を一時的に収納可能な容器を設ける必要があるが、少なくとも２０〜３０ｍ3 程度は収納可能な大型の容量が必要とされ、設置スペース上、問題がある。
【０００９】
本発明は、上記のような問題点に着目してなされたもので、エレベータシャフト内の洗浄に有利な構造を備えた連続式アンローダを提供することを目的をしている。
【００１０】
【課題を解決するための手段】
上記目的を達成するために、本発明の連続式アンローダは、エレベータシャフトに沿って周回するチェーンバケットを備え該チェーンバケットにより船倉内の荷を掻き取り垂直運搬するバケットエレベータが、ブーム先端に支持されて、上記チェーンバケット内に掻き取られた荷は、そのチェーンバケットの移動によってエレベータ最上部まで運ばれ該チェーンバケットが転回することで上記最上部に設けられた排出用シュートを介してブーム側に排出されるバケットエレベータ形の連続式アンローダにおいて、
上記排出用シュートに、該シュートの通路を荷の陸揚げ作業時に開き洗浄時に閉じるダンパを設けたことを特徴としている。
【００１１】
【作用】
通常の荷の陸揚げ作業を行うときには、ダンパを開いておくことで、チェーンバケットでエレベータ最上部に運ばれた荷は、該チェーンバケットが転回することで、排出用シュート内に落下する。
また、エレベータシャフトを構成するコラム部材内壁を洗浄する場合に、本願発明を構成するダンパで排出シュートを閉じておき、従来のようにチェーンバケットで荷を掻き取る代わりに洗浄水を掬い取らせて汲み上げさせると、チェーンバケットで掬い上げられた洗浄水は、該チェーンバケットでエレベータ最上部まで運ばれ、該チェーンバケットが転回することで、排出用シュートに向けて流下する。このとき、排出用シュートが閉じているために、流下した洗浄水は、ブーム側に流れることができず、エレベータシャフト内を流れ落ちる。
【００１２】
【実施例】
本発明の実施例を図面に基づいて説明する。
まず、本実施例の連続式アンローダの構成について説明する。本機の基本構成は従来と同様であり、図１に示すように、岸壁１に沿って移動可能な走行フレーム２上に旋回フレーム３が旋回可能に支持され、その旋回フレーム３から延びるブーム４の先端部にバケットエレベータ５が支持されている。該バケットエレベータ５は、バランシングレバー６によってブーム４の起伏角度に関係なく垂直を保持するようになっている。なお、図中、７は、該バケットエレベータ５とのバランスを取るためのカウンタウェイトである。
【００１３】
また、上記バケットエレベータ５には、エレベータシャフト８ａを構成するコラム部材８内に沿って無端状に周回する複数のチェーンバケット９が設けられている。該チェーンバケット９は、エレベータ最上部５ａに設けられた上部スプロケット１０と下端部に設けられた掻き取り部１１との間を循環する。図１では、掻き取り部１１として側面掘削方式の掻き取り部構造を例示してある。
【００１４】
また、上記エレベータ最上部５ａには、図２に示すように、上記チェーンバケット９が転回して下方に移動する際にその下向き開口部と上下方向で対向する位置に、上下方向に延びる排出用シュート１２が形成されている。その排出用シュート１２の上端開口部には、該開口部を開閉するダンパ１３が設けられている。該ダンパ１３は、エレベータ最上部５ａに回転可能に軸支された板部材から構成され、図示しないモータ等のアクチュエータによって上下方向に旋回可能となっている。そして、該ダンパ１３は、通常ではその自重によって、図２中、一点鎖線で示す位置に配置されて、該シュート１２の上端開口部は開いている。この状態から、アクチュエータを駆動して該ダンパ１３を構成する板部材を上方に旋回させることで、シュート１２の上端開口部が閉じるようになっている。
【００１５】
また、上記排出用シュート１２の下端開口部は、エレベータ最上部５ａの外周に配置された回転フィーダ１４に対向している。その回転フィーダ１４は、排出用シュート１２から搬送されてきた荷をブーム４側に搬送するものである。また、上記ブーム４には、その延び方向に沿ってブームコンベア１５が配置され、該ブームコンベア１５は、荷をホッパ１６に供給可能となっている。そのホッパ１６の下方には、機内のベルトフィーダ１７や機内コンベア１８が配置されている。
【００１６】
そして、上記構成を備えた連続式アンローダでは、バケットエレベータ５下端部の掻き取り部１１を船倉２０内に挿し入れて、該掻き取り部１１に位置するチェーンバケット９で、コークスや石炭等のバラ荷の掘削、掻き取りを行う。該チェーンバケット９に掻き取られた荷は、チェーンバケット９の上昇に従ってエレベータ最上部５ａまで垂直運搬され、続いて、該チェーンバケット９が転回することで、チェーンバケット９から落下する。その落下する荷の大部分は、排出用シュート１２内に落ち込んで回転フィーダ１４側に搬出されて、ブームコンベア１５に乗り継いでホッパ１６に搬送される。該ホッパ１６に搬送された荷は、更にベルトフィーダ１７及び機内コンベア１８を介して地上側設備１９に搬出される。以上のようにして、船倉２０内の荷は連続的に陸揚げされる。
【００１７】
このとき、上記チェーンバケット９から落下した荷の殆どは、排出用シュート１２内に落下するが、その一部は、エレベータシャフトを構成するコラム部材８内を落下して、該コラム部材８の内壁に付着する。このため、現在の荷と異種の銘柄の荷の陸揚げを行う前に、チェーンバケット９やコラム部材内壁８の洗浄作業が実施される。
【００１８】
次に、この洗浄作業の一実施態様について説明する。
まず、図３に示すように、ダンパ１３を操作して排出用シュート１２の上端開口部を閉じると共に、エレベータ５下部の掻き取り部１１を、洗浄水２２が収納された水槽２１内に入れる。
この状態で、チェーンバケット９で荷を掻き取り垂直運搬させる代わりに、該チェーンバケット９で洗浄水２２を掬い取らせ垂直運搬させる。
【００１９】
即ち、上記の状態でチェーンバケット９を駆動させると、各チェーンバケット９は、水槽内の洗浄水２２を掬い取った後、エレベータシャフトを構成するコラム部材８内に沿って上方に移動して、エレベータ最上部５ａで転回した後、再び下方に移動する。上記エレベータ最上部５ａでチェーンバケット９が転回すると、該バケット９内の洗浄水２２は、排出用シュート１２に向けて流下するが、該排出用シュート１２の上端開口部が閉じられているため、該洗浄水２２はブーム４側に流れることなくコラム部材８内を流れ落ちて、コラム部材８の内壁に付着した付着物を洗い流す。また、コラム部材８内を流下した洗浄水２２は、再び、水槽２１内に戻る。
【００２０】
上記のことが連続的に実施されて、チェーンバケット９内及びコラム部材８内が洗浄される。
このとき、上記洗浄水２２は、ブーム４側のブームコンベア１５や機内コンベア１８側に殆ど流れないので、従来のように、該洗浄水２２を一時的に収納する大型の容器が不要となる。
【００２１】
実際に実施してみたところ、全汲み上げ水量に対するコラム部材８内を流下する水量の割合は、ダンパ１３を設けない場合には、２０〜３０％であったが、上記実施例の連続式アンローダでは約９０％に増加して、該エレベータシャフトを構成するコラム部材８内の洗浄効率が向上していることが確認された。
【００２２】
【発明の効果】
以上説明してきたように、本発明の連続式アンローダでは、簡単な構成によって、従来よりもエレベータシャフトを構成するコラム部材内の洗浄効率を大幅に向上させることが可能となると共に、従来のような洗浄水を一時的に収納する大型の容器も不要となるという効果がある。
【図面の簡単な説明】
【図１】本発明に係る実施例の連続式アンローダを示す概略図である。
【図２】本発明に係る実施例のエレベータ最上部の構成を示す概略図である。
【図３】本発明に係る実施例の洗浄作業の際の状態を示す概略図である。
【図４】従来の連続式アンローダでの洗浄作業の際の状態を示す概略図である。
【符号の説明】
４    ブーム
５    バケットエレベータ
５ａ  エレベータ最上部
８    エレベータシャフト
９    チェーンバケット
１１  掻き取り部
１２  シュート
１３  ダンパ
２０  船倉
【図１】
0003781129.tif 000002
【図２】
0003781129.tif 000003
【図３】
0003781129.tif 000004
【図４】
0003781129.tif 000005